(57)【要約】地球上のクリンエネルギーの内、太陽光ソーラーを除く、水、風の力を利用した発電方法に磁力及び、圧縮エヤー力を利用した本発明の増幅モーターをプラスし、大出力発電、ジーゼルエンジンに変わる高出力エンジン等を得ることのできる使用エヤーを捨てないシンプル、安価タイプの増幅モーターを提供する。  ゆっくり流れる水の力を水上にてキャタピラー型の水車に受け、その回転力で圧縮空気を造りタンクからエヤーモーターに流す水力モーター。又、風のない時でも羽根車が回るように、小型の電気モーターを極小型エヤーコンプレッサーに直結し得た圧縮空気をタンクに送りこみ、上記と同じエヤーモーターに流す風力モーター等、人体の血液の流れのように外部には捨てないで心臓、冠動脈に戻しながら、いつまでも動き続け、２ヶのタンクを移動するエヤーの不足分補充信号でタンク内エヤーを充足するもので、風力、水力発電出力の９５％を補うことのできる他、エンジンとしても使え、用途により７角、５角、３角型を使い分ける。本発明のモーターは。中央の偏芯ローターへの加圧力を増やすため、エヤーシリンダー３ヶ分以上の力を同時に加えることの可能な構成とした。従って小エヤーポンプで少しずつためたエヤー（約３ｋｇ／ｃｍ２）を捨てないで移動させるもの。【特許請求の範囲】
【請求項１】
主として垂直軸タイプのモーターの場合、上下の２段積み重ね型のエヤータンク２ヶの他に、別置き、プラダ型アキュムレーター等、蓄圧機を配設し、エヤー圧力約３ｋｇ／ｃｍ２の下段エヤータンク内にフライホイル兼増速ギヤー郡増速装置及び、発電機又は、エンジン部材を入れ、エヤー圧力約１．５ｋｇ／ｃｍ２の上段タンク内に、磁石ローター、水力発電の場合は、ゆっくりした水の流れをキャタビラー水車に受けた回転力をエヤーコンプレッサー軸に接続可能な部材、又は、風のないときでもくるくる回すための超小型電気エヤーコンプレッサー等、少量の圧縮空気を製造する装置。ロータリーエヤー分配弁。複数のエヤーシリンダー。カム、アームクラッチ、カム３方弁、偏芯ローラー、ギヤー郡、及び、減圧弁、増圧弁、圧力センサーなどを配設し、エヤーコンプレッサーで得た圧縮空気を下段タンクに貯めておく兼回転動作をロータリーバルブに減速直結（約６０ＲＰＭ）し、バルブからシリンダーに流れるエヤー力で２ヶのピストン、アーム及び中心シリンダーピストン１ヶの合計３ヶのピストン力を中央の偏芯ローラーに当て回転力に変え、次に軸の回転を下段タンク内のフライホイル兼増速ギヤー郡で約１０倍以上に増速し、発電機又はエンジン軸に接続して、大出力発電及び、エンジンの駆動源として使用する７．５．３角型の増幅モーターでその力はシリンダー寸法により異なるが入力エヤーポンプ出力の約３００００倍以上のトルク値を得る。３角型の場合は、主シリンダー３ヶ、従シリンダー（中心シリンダー）３ヶの合計６ヶのシリンダーを配設し、常に３ヶの力を伝達し、５角、７角型は、力及びストローク（大きさ）により選択する。又は、使用済みエヤーは上段タンクに排気し、増圧の上、下段に送り、常に下段タンク圧を保持し、シール部よりのエヤー洩れ補充エヤーの役割を上記エヤーコンプレッサーで賄うことができ、異常発生時対策のみ、外部のアキュムレーターが役目する。そして発電装置に搭載の場合、風力発電では、バッテリー及び、インバーターを別置するが水の場合その必要はなく、共通用として圧力センサー、電気スイッチ、電気制御機器、電圧変電インバーターなど諸機を外設する。
【請求項２】
中心の偏芯ローラーを押す力を増大し、トルク値を３．３倍以上にするためのシリンダー間のアーム支点距離を全長の約１／３にした請求項１の７．５．３角型増幅モーター。
【請求項３】
水、風発電に使用の場合、台風、洪水、地震などの天災により、水、キャタピラー、及び風羽根車の回転が大きく変動しても安定出力保持のためエヤーコンプレッサー軸に７クラッチを設けた請求項１の７，５，３角型増幅モーター。
【発明の詳細な説明】
【技術分野】
【０００１】
本発明は地球上の空気、水及び磁力と極小量の電気を使いエヤーポンプを回し得た圧縮空気を複数のシリンダーに送り、更に回転力に変え大出力発電原発の代わりとなる発電、及び電車、舟などの産業に関する。
【背景技術】
【０００２】
従来の風力発電は、風のないときは発電しない。又は水力発電は水の流れがとまると発電しなくなる。そして電車は停電すると動かなくなる。少量の入力で大出力のでる自分のエアーモーターで発電したり、車、船などを動かす装置の開発を行うため、空気、水、磁力などの総合力をエアーモーターに集める。
【発明の開示】
【０００３】
本発明は、このような従来の構成が有していた問題を解決しようとするものであり、風がなくなっても、水の流れが変わっても安定発電でき風が強く水の流れがよくなればその分、尚儲けもの・・・といえるような風、水力発電装置。又、外部からの送電がなくても自分のエンジンで走り、発電も可能な電車。さらには石油エンジン付きの船舶。その他多くの回転力を必要とする機具機械を、空気と磁気力の総合力で動く装置の開発に寄与できるものの１つとして目的を達成した。
【図面の簡単な説明】
【０００４】
図１は、本発明の３型増幅エアーモーターの正面半断面図。
図２は、本発明の３型僧服エアーモーターの平面半Ｄ−Ｄ’、Ｃ−Ｃ’矢視図。
図３は、本発明の７・５型増幅エアーモーターのシリンダーとローラーの平面配置図である。
図４は、本発明の磁石ローターの平面Ａ−Ａ’、Ｂ−Ｂ’矢視図。
図５は、本発明の３型増幅エアーモーターを垂直軸風力発電に搭載例の正面図。
図６は、本発明の５型増幅エアーモーターをキャタピラー水車付の水力発電に搭載例の側面図。
【発明を実施するための最良の形態】
【０００５】
図１は、３角型モーターの上段α室外皮管（α）の上に、上ふた（１）の内にメカニカルシール（２）を設け、軸（３）と上ふた間のエアー漏れを防止し、フラフープ状の遠心力増偏芯磁石ローターの上磁石（イ）、及び下磁石（ロ）を並べ、下磁石上下用カム（Ａ）を回すと、上も回り、回転の補助とする。軸（３）は外部の回転力（風水力羽の回転など含む）用である。
磁石ローターの下に、８本の柱（４）に支えられた板に極少クラッチ付エアーポンプ（５）の軸回転を約６０ＲＰＭに減速するギヤー（６）を設け、圧力空気を放出しながら中間軸（７）を回し、ロータリーバルブ（Ｂ）からでるエアーをノズル１（９）から主シリンダー（１０）に入れ、くび振りカム（Ｃ）、くび振り（１１）くび振りアーム（１２）で位置決めした分配棒（１３）で、中軸（１５）に支えられたアーム（１４）が作動するとアーム受け（１６）は、第２シリンダーピストン（１７）と共に偏芯ローラー（１８）を強く押し回転する。くび振りアームは、３ヶのシリンダー（１０＋１７）の合計力が働くようにするもので、ローラーが回ると直ちにエヤーを切替えを３方弁（１９）で行い、そのためのカム（Ｂ）は主シリンダー（１０）内の排気エアーで第２シリンダーを戻し、くび振りアームは、バネ（２０）で戻る。
偏芯ローラーを押す力は、主シリンダー内径Φ５０、第２シリンダーの内径Φ３０としβ室圧力３ｋｇ／ｃｍでは、１１７ｋｇ＋９．５ｋｇ＝１２６ｋｇとなり、さらにアームの支点差の加算をみると押付荷車は、約１８５ｋｇとなる。そこでローラーの偏芯量１６ｍｍΦ４０としてのトルクは、１１５ｋｇ−ｃｍとなり、高出力のエヤーモーターとして広い用途があり、α室内圧力１．５ｋｇ、β室３ｋｇ、エヤーポンプは、入力用として、３Ｖ、トルクは０．００４ｋｇ−ｃｍ、バッテリーは常に充電用１２Ｖで可のため、トルクは、２８０００倍を得る。それは初動後、フライホイルの助力をプラスすると、さらにＵＰできる。圧力エヤーを捨てることなく人の血液のように循環させ、各々のタンク室内の圧力コントロールは、センサー制御によるが、本装置とは別の箱に操作スイッチなどを含むものにし、室圧出入力手動弁、エヤーポンプへの電気スイッチ、及び発電機入れの場合の電線とインバーター等を配設する。
β室には、中板（２１）で仕切り、約６０ＲＰＭで回っている軸（７）の下部に円板（２２）に回転を伝達し、遊星歯車兼フライホイル（２３）をギヤー郡（２４）を回し、下軸（２５）で発電機などに接続するもので重量大のフライホイルを受けるギヤー受軸受（２６）でスラスト荷重受として４ｈ配説したが、本発明のモーターは静かに回ることを特長としたいため、アームとピストンとの接触部、偏芯ローラーの外周、スラスト軸受などには、特殊ゴムを付した。（吸音ゴム）
図２は、上記構成の平面を示すもので、半断面のため補説明する。主ピストン（３０）の先端に設けた分配棒（１３）は、２本シリンダーが同時に作動するためのもので、クビフリカム（Ｃ）もＢも１山カムである。
図３は、上記３角モーターを５角、７角にした場合の平面を示すもので、３角では１ヶであった偏芯ローラーが、５角では２ヶ、７角では３ヶに追加されるため、小寸法で更に高回転、高出力用とし有用である。
図４は、磁石ロータをＡ−Ａ’矢視したもので、上下段磁石配置を示すもの。回転を補充する作用はＮ．Ｓで着揃に離れる仕組み、力は弱いが回転は助ける。又、フラフープ動作のため遠心力フライホイル効果が高い。
図５は、垂直軸小型風力発電装置の羽根車の中に、風がなくてもくるくる回り、簡単構造で都心のベランダの外側に取付け可能なものとした３角型エヤーモーター入り本発明の応用例である。従来のものは、風のない地域では発電９７％不可能であったが、安定電気を自分で造るため、電力会社でも売電に理解を受けると確信している。
図６は、下水道、放水路、及び海などに浮かせ、水上で発電する装置である。５角型エヤーモーターを搭載する前は、全長５ｍの舟ブイで３ＫＷの発電より出来なかったため、発電コストがソーラーの１／２であったが、本発明のモーターにより３００ＫＷとなり、水素を造り、電気と共に販売できる。
テロと地震に弱いと云われる原発をやめ得る代替発電として利用するよう開発を進め、市内の電気は、自市内の水の流れで賄う体制を進めたい。
以上、人の心臓、血流、冠動脈などの真似をした本発明の効果は上記の不足分を列記する。
１）使用済エヤーは、発電力として再利用し、ポンプ（心臓）は２種のタンク冠動脈で充分に守り、コストＵＰを防ぐことが出来る。
２）構造が馬鹿みたいに簡潔で、部品点数が少ないため安くできる。
３）石油、ガス、その他輸入に頼ることのない空気のため省資源化ができる。
４）末梢血管へ流れる血のようにエヤーの流体供給路の研究をすると尚高能率の期待ができる。
５）本発明のモーターを発電、電車及び、船舶など以外の例えば自転車、車椅子など多くに応用ができるものと考える。
【符号の説明】
【０００６】
イ、ロ：磁石ローター用磁石          α：エヤー低圧圧力タンク
β：エヤー中圧圧力タンク            Ａ：磁石ローター用カム
Ｂ：３方弁用カム                    Ｃ：首振りアーム用カム
１：上ふた                          ２：メカニカルシール
３：上軸                            ４：柱
５：クラッチ付ミニエヤーポンプ      ６：低速ギヤー
７：中軸                            ８：ロータリーバルブ
９：エヤーノズル                  １０：主シリンダー
１１：首振りアームリング          １２：くび振りアーム
１３：分配棒                      １４：アーム
１５：アーム軸                    １６：アーム受け
１７：第２シリンダーピストン      １８：偏芯ローラー
１９：３方弁                      ２０：バネ
２１：中板                        ２２：円板
２３：遊星歯車                    ２４：ギヤー郡
２５：下軸                        ２６：ギヤー受軸受
２７：バッテリー電線              ２８：配管
２９：発電気線                    ３０：主ピストン
【産業上の利用可能性】
【０００７】
上述の通り、本発明の７，５，３角型増幅モーターは、発電産業の他、１）自己発電しながら走る電車、２）船、バスなど大型のヂーゼルエンジンの代替え回転力モーター、３）水上発電及び、水上、酸素、水素などの製造所化。４）離島及び、高山山頂での発電所化。５）上下水道内、農水路及び、工場内排水路で水上発電、他の利用性有り。
【図１】
2008050466.tif 000002
【図２】
2008050466.tif 000003
【図３】
2008050466.tif 000004
【図４】
2008050466.tif 000005
【図５】
2008050466.tif 000006
【図６】
2008050466.tif 000007
【手続補正書】
【提出日】平成20年6月16日(2008.6.16)
【手続補正１】
【補正対象書類名】特許請求の範囲
【補正対象項目名】全文
【補正方法】変更
【補正の内容】
【特許請求の範囲】
【請求項１】
日本の都心部は、年平均風速４ｍ／秒以下でほとんど風がなく、風力発電も山上、海浜等の地区で、しかも１００ｍの上空で水平軸風力発電で、都心からはるか遠く、原発と同じ集中型発電にならざるを得ないため、これを改善し、風のある時は風で回し、風のない時は偶数角型増幅モーター（冥モ（メイモ））で回る垂直軸小型５枚羽風車風力発電を発明（仮名冥モ＝冥王星モーターの略称＝偶数角型増幅モーター）。
風車の中の上段の増幅モーター室（冥モ室）、下段を新ジェネレーター室を設け、冥モ室上部に一対（２〜６ケ）の低圧気体タンク（１−６ｋｇ／ｃｍ２ゴム風船、ゴムタイヤ、チューブ及び半割ドーナツ等）を設け、気体・液体および磁性流体を酸素吸入の肺、食水物の内臓、血液の磁性流体の如く、すべて人体構造を真似た構成の増幅モーター付き風力空力発電。
各流体は、一切切り捨てない循環型にし、タイミングよく各ピストンに配流する入力の小型電気モーター軸の回転をカムとカムアームを動かし、又カムでロータリーバルブ、及びメカニカルバルブを連動し、配流体を速度流量制御付ノズルから１−３次シリンダー及び各々のピストン作動により得た強トルク値６０ＲＰＭの回転力をさらにインターナルギア群で増速し、８００〜１０００ＲＰＭ軸で羽付垂直軸専用磁石付２枚合わせ新発明ローターを回し、中央の固定ステーターから取り出した発電電気を別置きインバーターに接続し、１００−２００Ｖ使用電源とする。
冥モ室の入力モータ及び流体圧不足時補充用ポンプ電気モーター電源は、３Ｖ〜１００Ｖの充電器付きバッテリーでインバーターと共に外置きし、風の有無による電気センサー制御クラッチを搭載した、メカ・電気併用式とした。
磁性流体を含む液流体シールには、磁石入りゴムリングによりシール漏れを極小にし、永年使用可とし、建物・住居屋上、及びベランダ、窓際、吊るしなど手軽に据付可能具付きとし、電気室、電気メーター近辺で配電線距離が短く、小型は主婦で取り付けでき、低価取付可能で、しかも風当たり悪い場所にも問題ない風水空力発電で、台風で羽破れなく、雷、鳥などにも問題なく１０−３０年の耐久性あり。そして地球を７０年前に戻すためのＣＯ２量＝石油の１／４９４、原発の１／１４であり、世界の人達とともに喜びを分かち合いたい。
２６．１０．２００７  特願２００７−３１５２３３  ＪＡＰＡＮ
【請求項２】
水力プラス増幅モーター力（仮名＝冥モ）発電装置に於いて、巾２ｍ以上で流れる水のある海、川、下水路、放水路（暗渠も含め）及び地震などの天災が起こりやすい地区を含め、自分で造ったＳＵＳ等の水路などの水上に、給、排気甲板付き舟ブイに上記請求項１と似た複数の増幅モーター付き新ジェネレータ搭載の発電装置（Ｃｏ２量＝原発の１／１４）。
舟ブイ両脇の集水器付きキャタピラ形状水車２ヶの水による回転力を入力とし、中央上軸１ヶの回転を２ヶ以上の上軸に同一方向、同一回転力で伝達し、各々のカムを回し、カムアームを動かし、ロータリーバルブ、メカニカル配管バブルをタイミング良く作動し、圧気体、液水、及び磁性流体などの流体を１〜３次シリンダーピストンに循環配流で得た直線高トルク力をギヤーの約６０ＲＰＭをインターナルギヤー群で８００〜１，０００ＲＰＭに増速力をこれまた全数の本発明ジェネレータロータ軸に直結しステータより取り出しの高出力電気を各々、別けたまま地上のインバーターに水中送電する水力入力の発電装置。
舟ブイには、センサー付き流体補充電気ポンプ（２００Ｖ発電電源用）、電気器具、異状温上昇信号機、及び舟ブイ連結具（タテ、ヨコ）を備え、巾広水路・長水路の双方可能とし、出力５００ＫＷ／隻。隻数により出力調整が可能。原発のように送電ロス（電圧低下４．８％、鉄柱などの送電ロス含め約３０％）のない、分散タイプの市内発電で、しかも自分で造る電気で地球の未来にも大きく貢献できる。
【請求項３】
三輪自転車に於いて、座席前のクラッチ付き足踏みペダルを左右交互に踏み初動走行すると、冥モ室内の中心軸が約６０ＲＰＭになると請求項１と同一としモーター軸が回り、空気、液体、磁性流体力でインターナルギヤを回し、後輪をチェーンで回し、３０ｋｍ／ｈ以下の速度で走行する自転車。ライト及び電気制御機器補助電源は、前輪のダイナモ３Ｖから取り、走行中のみ発電方式で、エアータンク、磁性流体など流体補充は手動とし、速度制御も前方ブレーキペダル、停止時は初めからやり直す。
従来の既存自転車と異なる点は、雨降りに水を防ぐ前上カバーを設け、雨の水滴付着防止のため前を里芋葉処理プラスチックとし、金属材を減らし軽くするため、前輪柱、ハンドル、床板、座席、荷物置き場、肘掛け、後輪カバーなどグラスファイバー０．３〜０．７厚みの外周を高強度アクリル等のプラスチックで固め、アルミ以上の強度を保つ材料に替え、停止時のストッパーもやめブレーキのみとする。スクーター、バイク等よりも小型で電動自動車のようにバッテリー充電不要、ガソリン不要の二人乗り冥モ搭載回転トルク１．５ｋｇ−ｃｍ以上の回転力を持つ雨降りＯＫ、２角型増幅モーター付き空、磁力自転車。また、本発明の自転車搭載の請求項１増幅モーターを船、航空機などの乗り物にも適用していく。
【請求項４】
垂直軸型ジェネレータに於いて、パーマロイ鉄心付き平面上ケイ素鋼板の厚み大、鉄心外周部下部固定３極ピッチで導線巻線したステータの上下面に発生する磁石を羽、フライホイル、スラストボール、磁気ペースト軸受け及び多数の永久磁石を設けたロータ２ヶの中央軸を１，０００ＲＰＭで回し、ロータ、ステータ隙間０．１〜１．０ｍｍ二面で発生する回転磁界、電気子電流を取り出し、別置きのインバータ経由発電使用電源とする他、３〜１２Ｖ充電装置付きバッテリー及び流体補充ポンプセンサー作動、入力電気モーターの電源とする。大面間面積を持つロータ２個タイプの１００Ｖ、２００Ｖ、高効率発電ジェネレータ。
【請求項５】
Ｆｅ２Ｏ４の超微粉末をさらに微粉化加工し攪拌、真空中に適量の油を注入し、血液のような液体を磁性流体として製造する。本流体は、気体シリンダー、液体シリンダー等の圧力流体として使用し、サマリウムコバルト系及びネオジウム鉄、ボロン系の高エネルギー積の磁石材を含有するゴム、プラスチック磁石と高磁化の強さを持った金属磁石などのシール効果向上、摺動部の潤滑効果向上（ベアリングも含め）、及び摺動音低下、耐久性向上及びＦｅ２Ｏ４の含有量の差による流体速度調整効果を生む。又、ゴムパッキンその他の弾性体材料によるシールの他にメカニカルシールの如き固体面摺動シールの片面に強磁性の上記材料を使用し、シール効果向上などの効果をあげ、軸受けの一部に摺動部油飛散防止材として使用し、常に油膜保持を計る。磁気ループに於ける作用磁場は、Ｍを磁石容積、ｍを拘束された磁性流体容積、Ｋを磁気漏洩係数とリラクタンス係数の積、Ｉを流体の磁化強さとしたとき、Ｈｄ＝（Ｍ／２）／（ｍ／２×Ｋ／２）×磁石エネルギー積の１／２、シール力（ｆ）＝Ｈｄ×Ｉで示され、請求項１の増幅モーター内の流体（Ｉ）の値は、約１，５００ｅｍｕ／ｃｍ２である。
【手続補正２】
【補正対象書類名】明細書
【補正対象項目名】全文
【補正方法】変更
【補正の内容】
【発明の詳細な説明】
【技術分野】  本発明は、風のある時は風力で発電し、風のない時は増幅モーターが回し、２４時間休み無く回り発電する風力発電装置。気体の空気、液体力に磁力を加え高増幅倍率１００倍以上で垂直軸型風車用垂直軸型適応の新ジェネレーター搭載タイプ及び増幅モーターのみ搭載の乗り物。
【背景技術】  平均風速３．３ｍ／秒の風より吹かない日本都心でも２４時間風車が回り発電し、強風では定格の１０％プラス発電し台風歓迎型で雷にも強い小型で１．２ｋｗ（家庭３軒分）〜４００ｋｗ（業務・工場用）出力のため、従来の大型水平軸型風力発電の集中タイプを自己発電でその場で電気を使う分散タイプに変更し、合理性の達成可能となった。その背景は、増幅モータの研究にヒトの心臓、肺、血液の流れなどを真似たもの。ジェネレーターのコギングロスを減少した平面利用技術の２者である。
【発明の開示】
風が無くても風力発電し、水の流れが止まっても水力発電装置の発明などは、多くの研究者が進めているが、新しく超音波発電、電子力発電、電波力発電などの実用化迄の期間、本発明の風力発電で分散型として実用化を進める。当面の風力発電は電気モーターによる入力が必要で「エネルギー不滅の法則を覆す」ものではないが、できるだけ小入力で増幅力を高め、入力不要の開発は、次世代技術者に任す。従って空気、水などを使い機械的力を活用し、１００倍以上の増幅倍率への挑戦とコギングロスの小さい１０ｋｇ−ｃｍ以下のトルクジェネレーターの発電課題とする。そして自己使用電気は自己発電による。
本発明の増幅モーターは、人体を真似し肺の代わりにゴム風船、吸入酸素の代わりに空気、心臓の代わりに電気モーターカム、血液の代わりに水・油などの液体を配置し、一切の排出物を出さないために磁力も使う手段とし、台風や強風時は定格出力にプラス発電になるようにした。また、ジェネレーターは、垂直軸羽根車を持つ風力発電と同じ垂直軸タイプにし、銅線巻きステーターの上面と下面を永久磁石２平面に接近させ、僅少寸法ロータ回転磁界、電機子電流を下部へ取り出すコギングロスの小さいロータトルク１０ｋｇ−ｃｍ以下のロータ回転ジェネレーターを搭載した。さらに、乗り物の１つとして増幅モーター搭載の電気自動車に代わる空液自走自転車を実用化する。
【発明を実施するための最良の形態】  図１、図２は、４角形増幅モーターの１例を示す。本体の別置き空気ポンプの電源をＯＮすると、４ヶのゴム風船タンク（８）にエアーが入り、圧力センサーが作動するとポンプ電源がＯＦＦする。小型モーター（９）が駆動し、上部外輪（３９）の回転で、風船押しカム（１０）と首振りカム（４７）の２ヶがタイミング稼働すると、２ヶ１組でゴム風船が押され垂直ピストン（１２）が降下、下のシリコン油入りピストンの作動で従ピストン（７）が水平に動き、先端のロットエンド（６）経由クラッチ付き歯車（５）を回し、インターナルギヤ（４）を回し、増速遊星歯車群（３）が回り、約１，０００ＲＰＭでジェネレーターロータ軸（２）を回し発電する。
増幅モーターと別置き箱には、充電器付小型バッテリー。１００Ｖインバータ。圧力センサー付空気ポンプ及び小配管と電線を入れ発電装置本体と連結する。さらに、
１）．ゴム風船の空気補充は、センサー作動で常に充電されたバッテリー電源から配線できるため歯車の回転が変動しない。
２）．主ピストンに受ける荷重が少しでも主ピストン径と従ピストン径の差で歯車を回す速さとトルク値が安定する。それは、負荷時ジェネレーターローターに与えるトルク値は３〜５倍になる（１．２ＫＷ出力時、モーターは３５０Ｋｇ−ｃｍ）
３）．ゴム風船には、逆止弁、圧力センサー（４９）が有り安定回転する。
４）．主ピストン下部の油量補充は補充液管（４８）で外からでき、約１年１回で済むので心配ない。
５）．ゴム風船押し円板（４２）、外周リング（３８）及び風船受板（３６）は軟材質のためゴム風船の耐久性は非常に長く、５年以上耐久可能シリコンゴム等とする。
６）．３ＶＤＣモーター（９）、風船押しカム（１０）、アーム（４０）及び首振りアーム（４３）等に加えられる荷重減少のため、２ヶのカム作動タイミングに配慮したので円滑動作する。
７）．ジェネレーター発生熱飛散上昇タイプにしたので増幅モーター室内圧が約０．０５Ｋｇ／ｃｍ２可となり、雨、ホコリの浸入を防ぐ。
８）．油などの液体リークを少なく、耐久性向上、摩擦抵抗減少のため、主ピストンシール（４４）及び従ピストンシール（４４）をエックスリングシール中央の磁気入り角リング（５４）にシリコン油付磁性ペーストを注油し、シール面に油膜を作り、低摩擦で高シール機能をもつ。
９）．従ピストン（７）入りのシリンダーは、往復時回るため、その下部にガラスボール（２１）を入れ中心軸を磁石にし、さらに衝撃防止にゴムクッション（４５）を入れた。
以上の通り、１００Ｖ、１，２００ワット出力の場合、増幅モーター付き風力発電はジェネレータートルクの３〜５倍の力が出るため、水平軸大型発電装置に比べ大きさ、１６０分の１、発電力８分の１、発電コスト１０分の１となるので、家庭用１．２ＫＷの本装置を基準設計とした中型１５０ＫＷ。さらに大型３００ＫＷの実用化に挑戦し、送電ロスをゼロにした分散型発電モデルとしたい。
それは、２４時間、雨の日も風に関係なく発電したい。そのことは原発を減らしゼロにし、温暖化対策をしながら、発電コスト２２円／ＫＷ（他社の風力発電）を１円／ＫＷ以下に出来る。
図３、図４の左半分は、図１，図２の増幅モーターと少し異なる物でインターナルギヤを回すための歯車（５）を４ヶにしたもので風船タンク１ヶに１ヶとしたため風船ふさぎカムが必要となり（１３）主ピストンより従ピストン（７）へ送る液体の質により、特殊バルブ（２５）の中が変わる、図１より高価。
図３、図４の右半分は、図１に比べ配管部を増やし、一般のシリンダーと同じダイヤフラム（１７）方式としゴム風船をやめ、ドーナツ型ブラダ内周、外周風船とし、内周風船に窒素ガス１ｋｇ／ｃｍ２を入れ、外周風船の空気をメカバルブ（１５）でシリンダーに配分、ピストンの上昇は両ピストンに入れたスプリング（１６）（３７）で戻し、空気はバルブを通りα室へ戻る。βはαの作動補助。図１に比べ正確動作が劣り、ガス、空気、油、の補充は上部ノズル（１９）で行う。
図５、図６は、本発明のジェネレータを示す物で風力発電の中でも垂直軸専用である。風のない時は８００〜９００ＲＰＭでローターが回り、小型で１．２ＫＷ  １００Ｖの出力、大型で３００ＫＷ  ２００Ｖの出力となる。台風など強風では、１，０００〜１，２００ＲＰＭで回り約１５％の出力ＵＰとなる。フェライト磁石（２８）とフライホイル（３２）（３３）を立ち上げ曲げ羽空孔部の多い磁石受け板（２７）に接合し、中央ステータの上下面に向け中心下軸（２）に固定し回す。中央のステータは、下面にケイ素鋼板円板（３１）の上に３角形のパーマロイ鉄芯（３４）を接合し、その外周にφ０．３〜０．７の銅線を３極とびに８００〜１，０００回巻き線し、上下面の磁石平面との隙間０．６〜０．８ｍｍを維持し外周部固定し、ローター磁石面との間に発生する回転磁界で発生する電気子電流を発電出力として下部へ取り出すジェネレーター。磁極数１０ヶ、外径φ２００、厚み１０ｍｍ、巻き銅線高さ２４ｍｍ、線径φ０．５ｍｍで８００ＲＰＭの場合１００Ｖ、５Ａ、三相、１５０ＨＺ、力率遅れ８０に於ける発電出力約１，２００ワットを得ることが可能。平面度保持のため下ローターの下に磁性ペースト付きのガラスボールφ３ｍｍを入れ（２１）下フライホイル（３３）で受け上部フライホイル（３２）の下部にも受けるが磁性ペースト（シリコン油入り）の飛散防止のため、ガラスボールとガラスボールの間に外径φ２．５ｍｍ、内径φ１．０ｍｍ、長さ１０ｍｍのプラスチック磁石を入れる。ジェネレーターの発熱空気を上昇させるため、ローターの磁石受け板の下に気体吸い込み羽を設け、開口部を（３５）増大し、ステーターにも窓（３５）を多くし、さらに上ローター受け板には気体上昇用羽を設け、フライホイルにも通気窓（３５）を多くし昇温を防止する。エネルギー変換倍率０．６〜０．９倍の小型ジェネレータのくせに高出力を特長とするもの。
図６の左半分はローター、右半分はステーターの平面を示す。
図７は、上記増幅モータ付き風力発電で、質量は小型の場合外径φ４２ｃｍ、高さ６０ｃｍで重量約２０Ｋｇ、マンションでは北側の通路の外に吊し、戸建て住宅では北側窓の外に吊し、１，２００Ｗ、２４時間、定検迄５年間連続発電、日本の３家族分発電し、２家分売電。
中型は、１５０ＫＷ工場、ビルなどの自己発電用。外径φ１２０ｃｍ、高さ１６０ｃｍ。大型は、３００ＫＷ発電事業用。外径φ１５０ｃｍ、高さ１８０ｃｍ。以上の３機種は、台風歓迎タイプ。雷、鳥にも無関係で美しい国づくりに役立つ。
図８は、ピストンシリンダー部の空・油圧シールの２リップ中間に、磁気ゴム角リングを入れ磁性ペーストを注入し、常にシール部の接触面に潤滑油の保持ができ、耐久性を向上した。
図９は、風車軸、ジェネレーター軸などの荷重受部に一般のスライドベアリングの代わりとして使用するもので、ガラスボール（２１）と接するφ３ピン（２６）外周に２ヶの磁石（２３）とさらにピンを芯とした水平方向の偏心防止ボールベアリング（５３）を入れ、中心ボール周辺にシリコン油の粘度の高い物にＦｅＯ４粉を混合した磁性ペースト（２４）を注ぎ、回転トルク低下と耐久性３倍を可能にした。風車の中心軸以外のジェネレーターフライホイル部、その他にも応用した。一般のスラストボールベアリングより安価で長寿命。
図１０は、超小型増幅モーターを乗り物としての自転車に搭載し、電動自転車の代わりにする。又、偶数角形増幅モーターの仮称をメイモ（冥王星モーター）とし図表示。３輪で２人乗り座席付きの前座席下部に増幅モーターを入れ、従来自転車と同じ足踏みペダルの回転力を初動のみに使い、下部外軸（３９）を回し図１の中心下軸を回しジェネレータをはずし、後輪の回転力として走る物。走行が始まると、前輪の回転で駆動する小型ダイナモ（現自転車のライト用と同じ）の作動で２ヶのカム（１０）（４１）が回るため、足踏みペダルの動作不要。走行速度制御（ＭＡＸ３０Ｋｍ／ｈ）は全てブレーキ、及び電気的、軸回転数制御方式であるため電池不要、従って充電不要、ディーゼルエンジン油不要、ガソリン等一切不要、荷物置き場も充分で静かに走るため新聞配達バイクの代わりとなり、タクシーなどにも利用可能。停車時倒れないためバイク、自転車のように倒れ止め不要（ブレーキのみ）。手軽、軽量、合理的で子供、お年寄りにも安全なカッパ不要の三輪自転車。尚、増幅モーター重量の約３ｋｇが従来の自転車にプラスとなるが軽量化対策として、前輪柱・床板・座席・後輪カバー・肘掛け、などには金属の使用をやめ、厚み０．５ｍｍのポーラスグラファイバを樹脂と接合の材料で強度向上、塗装不要、軽量（鉄の８分の１）。
図１１は、風雨の時も合羽、傘無しで安定に走行できるカバーを取り付け取り外しの容易な形とし、前カバー材には里芋の葉のごとく雨、水が付かない表面にし、ワイパーを不要とした。
図１２は水力プラス増幅モーター力発電装置に於いて、ゆっくり流れる水のある幅２ｍ以上の海、川、下水路、放水路（暗渠も含め）及び自分で造ったポンプ水付ＳＵＳ水路（地震等天災心配地区含め）など水路の水上に浮かべた給排気甲板付小型ボート状舟ブイに増幅モータ付ジェネレーターを搭載した大出力安定低ＣＯ２発電装置。
舟ブイ両脇に集水器付キャタピラ型水車２ケの回転力を入力電気モーターの代わりとし、垂直上中央軸１ケを２ケの上軸に移し、２ケのカム（６１）及びカムアーム（Ａ）、ロータリーバルブ、メカニカルバルブ（１５）などで、気体・液体及び磁性流体など３種の流体を１・２・３次シリンダーピストンをタイミングよく循環作動させながら、６０ＲＰＭ、高コルク力をギアに移し、インターナルギアー群（４）その他で増速８００〜１０００ＲＰＭで新発明高出力ジェネレーター、ロータ（１）並列２ケに接続し、得た発電力を地上のインバーターに水中送電し、地上併用。舟ブイには、シール磨耗などによる流体タンク圧低下補充流体ポンプ（２００Ｖ、１５Ｗ）、センサー等、搭載し、全自動充填し、仮名「水花」は、流れの巾広い水路に於いては横に並べ、橋の役目を果たし、長い流れに於いては縦に２隻以上をつなぎ水上の大容量発電所となり、ＣＯ２量は、原発の１／１４と低いため、原発の代替になり得る。又、発電コストも原発より低く、高安全性であり、分散型発電の典型といえるため、市内に天然水流れ以外に水路を新設し、数箇所の新設を仮定すると原発一基分の電力を送電ロスなく（今は送電ロス４．８％を含め３０％ロス）造り送れるから、地域経済に大きく寄与できる他、多くの人がともに考えた発電方法で、自分の電気は自分で造ることで、電気を節約して使う執念が浸透し、私たちの暮らしの守り方が強くなり、心豊かな人生が構築でき、地球の未来に向け大きく邁進できる（発電コストは原発の約１／５０）。
発電出力＝２００Ｖ、５００Ｖ（ＭＡＸ）／隻（冥モ＋ジェネレーター並列２〜３台搭載タイプ）＝家庭１２５０世帯分の発電量。工場団地の中央にカギ型ＳＵＳ水路１００ｍ―６本、水の汲み上げポンプ３０ｋｗ＝９２５００世帯分の発電が可能＝原発の１／４基分電力を得ることになり、市内に４ケ所発電所化で、原発一基分の電力を賄う。本発明の水力発電はＣＯ２量がソーラーの１／４と低いため、家庭用の仮名「京花」風力発電と共に早期実用化が急務といえる。
図１３，図１４の左半分は、６本のシリンダー（５６）を傾斜取り付けし、ピストン（６３）でアーム（Ａ）を押し、アーム軸を介してプロペラ（６７）を回し、インターナルギヤ（４）を回す方式で、ピストン速度の変動を４枚羽プロペラで安定回転を保持する。プロペラと接触するローラー（６４）は、耐久性向上と防音のためウレタンゴム材質とする。また、プロペラ軸にはワンウェイクラッチ（５）を設ける。
図１３，図１４の右半分は、６本のシリンダー（５６）のピストンに、ギヤ丸ラック（６２）を固定し、インターナルギヤ（４）の内側の増速ギヤ（３）と同軸ワンウェイクラッチ付き小ギヤ回す方法。３本ピストンを交互に出し円滑運動でインターナルギヤの回転数を８０ＲＰＭにし、さらにトルク値を上げる。
【産業上の利用可能性】  偶数角型増幅モーター付き発電装置は、送電ロスのない分散型発電方式の典型といえる自家発電方式のため、次の産業に利用できる。１．原子力発電。２．風力発電。３．火力発電。４．石炭発電。５．ガス発電。６．バイオマス発電。７．海洋温度差発電。８．地熱。９．ソーラー。１０．水素。１１．一般風力。１２．一般水力など、多くの発電方式に比べ、下記のとおり優れている。
１．ＣＯ２の量が、１）原発の１／１４、３）石油火力の１／４９４、９）ソーラーの１／３５とはるかに低ＣＯ２のため、温暖化防止のＴＯＰであり、今までの発電産業を即変更でき、利用可能性大である。
２．今、世界の技術者が研究中の電子力、電波力、ジェネレーター磁力など発電方式の実用化開発は３０−５０年先なると思うので、それまでの期間、本発明にて間に合わせ利用する。
３．本発明装置の発電コストは、次のとおり安いため、石油の価格上昇に無関係の唯一発電方式であり、石油産出国以外の多くの海外にも利用可能性有り。
１）原発の１／６０、３）火力の１／５、９）ソーラーの１／４、１１）他社水平軸日本風力の１／１０。
さらに、維持管理費が安く、３〜５年／回の定期点検のみ必要。
４．天災に強く、耐久性が長い。地震・雷・火事・台風・津波などに強く、防錆材料使用メイモ、ジェネレーター室内は極低圧力で粉・雨などの侵入が少なく故障が少ない。
５．本発明のメイモを乗物の一つである自転車に搭載し実例を発表したが、さらに船・ヘリコプターなど、入力のみを人力．他、で可能な商品に対し、次々と実用化開発を進め、京都議定書に関する産業に利用する。
【図面の簡単な説明】
【図１】本発明の４角型増幅モーター、４ヶのゴム風船タンク内、２ヶ１対、２ヶのカムによる交互作用タイプの正面図。
【図２】図１のカム２ヶの内、首振りカム（４７）を示す左半分平面図。風船押しカム（１０）は右半分図。
【図３】本発明の４角型増幅モーターの内、図１と異なるタイプ構造を持つ左半分及びドーナツ型ゴムタンクにした右半分正面図。
【図４】図３の平面図
【図５】本発明の垂直軸型ジェネレーターの正面半断面図
【図６】本発明の垂直軸型ジェネレーターのロータ左半分とステータを右半分に示す平面図
【図７】本発明の増幅モーター付風力発電装置の外観を示す斜視冩眞図。
【図８】本発明の増幅モーター付き乗り物の内、３輪自転車の斜視図。
【図９】図１０のカバー斜視図。
【図１０】本発明の６角型増幅モーターの正面断面図。
【図１１】本発明の６角型増幅モーターのシリンダー部平面図及びカム部平面図。
【図１２】本発明の偶数角型増幅モーター付水上水力発電装置の正面外観図。
【図１３】本発明の外向きシリンダー６ヶ、ピストン６ヶにプロペラ付アームタイプ正面半断面図及び
【図１４】上記モーターの平面図
【符号の説明】
１．ジェネレータ、ロータ                      ２．中心下軸
３．遊星歯車群                                ４．インターナルギヤ
５．ワンウェイクラッチ付歯車                  ６．ロットエンドアーム
７．従ピストン                                ８．ゴム風船（αタンク）
９．ＤＣモーター                            １０．風船押しカム
１１．風船押しアーム                          １２．主ピストン
１３．風船ふさぎカム                          １４．外周風船α
１５．メカニカルバルブ                        １６．従ピストンスプリング
１７．ダイヤフラム                            １８．内周風船（βタンク）
１９．補充ノズル                              ２０．上軸
２１．ガラスボール                            ２２．上下調整ボルト
２３．磁石                                    ２４．磁性ペースト
２５．特殊バルブ                              ２６．丸ピン
２７．磁石受板                                ２８．ロータ用磁石
２９．ステーター固定具                        ３０．銅巻線
３１．ステーターケイ素円板                    ３２．上フライホイル
３３．下フライホイル                          ３４．パーマロイ鉄心
３５．通気窓                                  ３６．風船受板
３７．主ピストンスプリング                    ３８．外周リング
３９．上部外軸                                ４０．アーム・モーター保護具
４１．スプリング                              ４２．風船押し円板
４３．首振りアーム                            ４４．磁石角リングＸリングシール
４５．ゴムクッション                          ４６．シリコンゴム気体チューブ
４７．首振りカム                              ４８．補充液管
４９．補充気体継ぎ手                          ５０．ローター空気上昇羽根
５１．グラスファイバーフィルター              ５２．交互振分け板
５３．ボールベアリング                        ５４．磁気ゴムリング
５５．交互押しカム                            ５６．水平形首振シリンダー
５７．歯車軸                                  ５８．速度調整弁
５９．特殊形アーム                            ６０．ワンウェイクラッチ付ロッドエンドアーム
６１．カム                                    ６２．丸ラック
６３．ピストンヘッド                          ６４．ローラー
６５．ゴムチューブ                            ６６．Ｙ型アーム
６７．プロペラ                                ６８．山型アーム
６９．鎌型アーム
Ａ．アーム                                      Ｃ．カム
α．ドーナツ型ゴムタンク上                    α’．ドーナツ型ゴムタンク下
β．小型排タンク上                            β’．小型排タンク下
【手続補正３】
【補正対象書類名】図面
【補正対象項目名】全図
【補正方法】変更
【補正の内容】
【図１】
2008050466.tif 000008
【図２】
2008050466.tif 000009
【図３】
2008050466.tif 000010
【図４】
2008050466.tif 000011
【図５】
2008050466.tif 000012
【図６】
2008050466.tif 000013
【図７】
2008050466.tif 000014
【図８】
2008050466.tif 000015
【図９】
2008050466.tif 000016
【図１０】
2008050466.tif 000017
【図１１】
2008050466.tif 000018
【図１２】
2008050466.tif 000019
【図１３】
2008050466.tif 000020
【図１４】
2008050466.tif 000021